(57)【要約】【課題】擁壁用パネルの背面に若干の不陸が生じても、この背面の不陸とは無関係に組み立て金具を取り付けることができるようにする。【解決手段】背面２ａ側にナット部材３がインサートされてあり、このナット部材に螺合するボルト４にて組み立て金具１を取り付け、この組み立て金具の相互を上下方向に結合することにより擁壁を構築するようにした擁壁用パネル２において、上記ナット部材の端部を上記背面より突出させ、このナット部材の端部を組み立て金具を取り付けるための取り付け座３ａとした。【選択図】図１
2010174509.tif 000002
【特許請求の範囲】
【請求項１】
背面側にナット部材がインサートされてあり、このナット部材に螺合するボルトにて組み立て金具を取り付け、この組み立て金具の相互を上下方向に結合することにより擁壁を構築するようにした擁壁用パネルにおいて、
上記ナット部材の端部を上記背面より突出させ、このナット部材の端部を組み立て金具を取り付けるための取り付け座とした
ことを特徴とする擁壁用パネル。
【発明の詳細な説明】
【技術分野】
【０００１】
本発明は、背面が平面状になっていて、この背面に取り付けられる組み立て金具の相互を結合することにより擁壁を構築するようにした擁壁用パネルに関するものである。
【背景技術】
【０００２】
この種の擁壁用パネルは、コンクリートにて成形する際にこれの背面側にナット部材がインサートされており、このナット部材に締結されるボルトにて組み立て金具が固着されるようになっている（例えば特許文献１参照）。そして上記ナット部材の露出側端部は、擁壁用パネルの背面と同一面状、あるいは背面より若干凹ませている。
【先行技術文献】
【特許文献】
【０００３】
【特許文献１】特許第３８８２０１６号公報
【発明の概要】
【発明が解決しようとする課題】
【０００４】
上記したように従来のこの種の擁壁用パネルにインサートするナット部材の露出側端部が擁壁用パネルの背面に対して少なくとも同一面状であったため、この擁壁用パネルの背面に固着される組み立て金具の取り付け面が擁壁用パネルの背面に当接する構成になっている。
【０００５】
このため組み立て金具の取り付け姿勢は、擁壁用パネルの背面の平滑度に左右されてしまうことから、従来のこの種の擁壁用パネルの背面には高度の平滑性が求められている。
【０００６】
擁壁用パネルの背面が不陸になっていて、組み立て金具とのボルト締結部に平滑性が保たれていないと、このパネル背面に生じる不陸に組み立て金具の形状が追従して変形してしまう。この変形が仮に個々の組み立て金具においては微小であっても、多数の擁壁用パネルを積み上げていくことにより、この積み重ねた擁壁用パネルの鉛直性が損なわれたり、鉛直性を保つために施工能率が低下してしまうことになる。また、パネル背面の組み立て金具と接触する部分を平滑に保つためには、擁壁用パネルの製造コストにも影響していた。
【０００７】
また、上記ナット部材の露出端側がパネル背面と同一面あるいはこれより凹ませていたため、擁壁用パネルの製造時に上記ナット部材の開口部にセメント固形物が付着されやすく、そのような場合には、ボルトの嵌挿作業の際にナット部材の穴内のセメント固形物をいちいち取り除く必要が生じ、そのために施工能率が低下してしまうことがあった。
【０００８】
本発明は上記のことに鑑みなされたもので、擁壁用パネルのパネル背面の平滑性が多少損なわれて若干の不陸が生じても、このパネル背面の不陸とは無関係に組み立て金具を取り付けることができ、組み立て金具の加工精度に応じて擁壁用パネルを多段にわたり、これの鉛直性を維持して積み上げることができ、またパネル製造時に、これにインサートするナット部材の端部にセメント固形物が付着するのを防ぐことができるようにした擁壁用パネルを提供することを目的とするものである。
【課題を解決するための手段】
【０００９】
上記目的を達成するために、本発明に係る擁壁用パネルは、背面側にナット部材がインサートされてあり、このナット部材に螺合するボルトにて組み立て金具を取り付け、この組み立て金具の相互を上下方向に結合することにより擁壁を構築するようにした擁壁用パネルにおいて、上記ナット部材の端部を上記背面より突出させ、このナット部材の端部を組み立て金具を取り付けるための取り付け座とした構成になっている。
【発明の効果】
【００１０】
上記構成によれば、組み立て金具を取り付けるための取り付け座が、擁壁用パネルの背面より突出されていることにより、この背面の小手均しによる平滑性が多少損なわれて若干の不陸が生じても、このパネル背面の不陸とは無関係に組み立て金具を擁壁用パネルの背面側に取り付けることができる。
【００１１】
したがって組み立て金具の加工精度に応じて擁壁用パネルを多段にわたり、これの鉛直性を維持して積み上げることができる。
【００１２】
また、上記したように取り付け座が擁壁用パネルの背面から突出していることにより、擁壁用パネルの製造時にこれにインサートするナット部材の端部のねじ孔内にセメントが入り込むことが防止できる。背面の仕上げ作業において、上記したようにこの背面に少しくらいの不陸が生じてもよいことにより、小手均し作業に神経と時間をかけずにすみ、この仕上げ作業を容易にすることができる。
【００１３】
なお、本発明に係るナット部材をプラスチックにて構成する場合、これの色を任意の種類（例えば６色）にすることができる。そしてこれにコンクリートの色と異なる色のものを使うことにより、コンクリートの打ち込み量を見る目安にもすることができる。
【図面の簡単な説明】
【００１４】
【図１】本発明に係る擁壁用パネルに標準用の組み立て金具を取り付ける状態を示す斜視図である。
【図２】図１のＡ−Ａ線に沿う断面図である。
【図３】ナット部材の一例を示す斜視図である。
【図４】本発明に係る擁壁用パネルに基礎用の組み立て金具を取り付ける状態を示す斜視図である。
【図５】本発明に係る擁壁用パネルを用いた擁壁の構築構成を示す側面図である。
【発明を実施するための形態】
【００１５】
図１は背面の横幅方向の２個所に組み立て金具１を固着可能にした本発明に係る擁壁用パネル２を背面側から見た斜視図である。この擁壁用パネル２はコンクリートにて横長四角形の板状に形成されている。そしてこれの背面２ａには横方向２個所に、例えば両端から横方向長さの１／４の位置で、上下方向２個所にボルト締め込み用のナット部材３が、これの軸心が擁壁用パネル２の基準板面に対して直角になるようにインサートされている。
【００１６】
このナット部材３は図２及び図３に示すようになっており、これのねじ孔が開口する側の端部が擁壁用パネル２の背面２ａより高さｔにわたって突出されている。そしてこの突出部の端面が擁壁用パネル２の背面２ａと平行にした取り付け座３ａとなっていて、この取り付け座３ａに上記組み立て金具１がボルト４にて取り付けられるようになっている。
【００１７】
ナット部材３の取り付け座３ａは、ある程度の大きさの面積を有するのが望ましく、このためナット部材３の上記端部は所定径のフランジ状になっている。
【００１８】
上記取り付け座３ａの高さｔは２〜５ｍｍが好ましく、この実施の形態では３ｍｍとした。またこのナット部材３のインサート長さは１５ｍｍ以上となっている。そしてこのインサート部には抜け止め用のフランジ３ｂ、３ｃが設けてある。そしてこれの一方のフランジ３ｃの外周形状は多角形状になっていて、廻り止め機能が付与されている。
【００１９】
図３はナット部材３の形状の一例を示すものであるが、これの形状に限るものではない。また、このナット部材３は所定の強度を必要とするものであり、プラスチックあるいは鋼材等にて構成されている。
【００２０】
擁壁用パネル２の背面２ａに取り付ける組み立て金具１は、擁壁用パネル２の背面２ａで上記ナット部材３に固着して擁壁用パネル２の相互を組み立てることができる構成であれば、特にその構成は問わないが、その一例としての上記組み立て金具１を図１にて説明する。
【００２１】
この組み立て金具１は標準用のものであって、その構成は、四角形の側壁５の四辺を板厚方向同一側へ９０度折り曲げて四角形の弁当箱状に成形されている。そして上下に対向する上側部材６と下側部材７とは、上記擁壁用パネル２の縦方向寸法と略同じ高さで、かつ平行の上面と下面を有している。また、前後方向に対向する前側部材８と後側部材９とは所定の寸法間隔を有して平行に対向されている。前側部材８の上端部は上側部材６の内側に、また下端部は下側部材７の内側にそれぞれ折り曲げられ、隙間なく沿わせる上側及び下側の折り曲げ片８ａ，８ａとなっている。また、下側部材７の後端部は、後側９の内側に折り曲げられ隙間なく沿わせる後側折り曲げ片７ａとなっている。さらに、後側部材９の上端部は上方へ突出されていて、上側部材６に対して直角状に上方へ突出する突片９ａとなっている。１０は後端部材９の突片９ａを含む背面に沿わせる補強板である。
【００２２】
そして前側部材８には、擁壁用パネル２のナット部材３に対応する２個のボルト孔１１ａ，１１ａが設けてある。また、上側部材６の前端部と下側部材７の前端部で、それぞれ前端から同一位置に、前側部材８の上側折り曲げ片８ａ、下側折り曲げ片８ｂを貫通するボルト孔１２ａ，１２ｂが設けてある。また、後側部材９の下端部には折り曲げた下側部材７の後側折り曲げ片７ａを貫通するボルト孔１３ａが設けてあり、さらに後側部材９の上端部には、上側部材６の上面より上側の突片９ａと、下側の部分に上下に離隔する２個のボルト孔１４ａ，１４ｂが設けてある。そしてこの後側部材９の下端部のボルト孔１３ａの下端からの位置と、突片９ａの上側に設けたボルト孔１４ａの上側部材６の上面からの位置が同一になっている。そして補強板１０には、後側部材９の上部に設けた２個のボルト孔１４ａ，１４ｂと同ピッチにボルト孔１５ａ，１５ｂが設けてある。
【００２３】
図４は擁壁用パネル２の背面に基礎用の組み立て金具１ａを固着した状態を示す。この基礎用の組み立て金具１ａは、高さ寸法が上記標準用の組み立て金具１と同一で、前後方向の長さが標準用の組み立て金具１のものより長く（例えば２倍）なっている。そしてこれの基本的な構成は、上記標準用の組み立て金具１と略同じである。
【００２４】
すなわち、長方形の側壁１６の四辺を板厚方向同一側へ９０度折り曲げて、長四角状の弁当箱状に成形されている。そして上下に対向する上側部材１７と下側部材１８とは、擁壁用パネル２の縦方向寸法と略同じ高さで、かつ平行の上面と下面を有している。また、前後方向に対向する前側部材１９と後側部材２０とは、上記標準用の組み立て金具１の前後方向の長さより長い間隔で平行に対向されている。前側部材１９の上端部は上側部材１７の内側に、また下端部は下側部材１８の内側にそれぞれ折り曲げられ隙間なく沿わせる上側及び下側の折り曲げ片１９ａ，１９ｂとなっている。また、下側部材１８の後端部は、後側部材２０の内側に折り曲げられ隙間なく沿わせる後側折り曲げ片１８ａとなっている。さらに後側部材２０の上端部は、上側部材１７の内側に折り曲げられ隙間なく沿わせる上側折り曲げ片２０ａとなっている。さらに、長手方向中間部には、上側と下側の各部材１７，１８を連結するステー部材２１が、上下の折り曲げ片２１ａ，２１ｂを両側部材１７，１８の内側に沿わせて介装してある。
【００２５】
そして前側部材１９には、擁壁用パネル２のナット部材３に対応する２個のボルト孔２２ａ，２２ｂが設けてある。また、上側部材１７の前端部と、下側部材１８の前端部でそれぞれ前端から同一位置に、上側と下側の折り曲げ部材１９ａ，１９ｂを貫通するボルト孔２３ａ，２３ｂが設けてある。この両ボルト孔２３ａ，２３ｂのうち、少なくとも上側のボルト孔２３ａの位置は、上記した標準用の組み立て金具１の前端部の下に設けたボルト孔１２ａと同一位置になっている。
【００２６】
また、上側部材１７と下側部材１８の前後方向中間部で、かつ上記標準用の組み立て金具１の前後方向寸法より大きい寸法位置にアンカ用のボルト孔２４ａ，２４ｂが上記ステー部材２１の折り曲げ片２１ａ，２１ｂを貫通して設けてある。また、後側部材２０にも上下に２個のボルト孔２５ａ，２５ｂが設けてある。
【００２７】
２６は基礎用の連結部材１ａの上側部材１７の上面に固定する係止部材であり、この係止部材２６はＬ字状になっており、その各片２６ａ，２６ｂにボルト孔２７ａ，２７ｂが設けてある。そしてこの係止部材２６は、一方の片２６ａを、これに設けたボルト孔１７ａと上側部材１８の中間部に設けたアンカ用のボルト孔２４ａと一致させた状態で、他の片２６ｂが、この基礎用の組み立て金具１ａの上に載置される標準用の組み立て金具１の後側部材９の背面に接触するようになっている。
【００２８】
上記構成において、標準用の組み立て金具１は図１に示すように、これの前側部材８をボルト孔１１ａ，１１ｂにボルト４を貫通してナット部材３に締め付けることにより擁壁用パネル２の背面に固定される。
【００２９】
同様に基礎用の組み立て金具１ａは、図４に示すようにこれに前側部材１９のボルト孔２２ａ，２２ｂにボルト４を貫通してナット部材３に締め付けることにより擁壁用パネル２の背面に固定される。
【００３０】
次に、基礎用の組み立て金具１ａを固定した基礎用となる擁壁用パネル２と、標準用の組み立て金具１を固定した標準用となる擁壁用パネル２を用いた擁壁の構築を図１、図４及び図５を参照して説明する。
【００３１】
図５において３０は基礎コンクリートで、この基礎コンクリート３０の上面は平らに仕上げられており、かつ基礎用の組み立て金具１ａを固定するためのアンカナット３１が、基礎用の組み立て金具１ａの下側部材１８に設けたボルト孔２３ｂ，２４ｂに対応する位置に設けてある。また、基礎用の組み立て金具１ａと干渉しない位置にアンカー筋３２が植え込み固定されている。
【００３２】
上記基礎コンクリート３０上に基礎用の組み立て金具１ａを固定した基礎用の擁壁用パネル２を一列状に並べ、それぞれの組み立て金具１ａを、これの下側部材１８に設けられたボルト孔２３ｂ，２４ｂに貫通するボルト３３をアンカナット３１に締め込むことにより基礎コンクリート３０に固定する。これにより基礎用の組み立て金具１ａの前側部材１９の下端片１９ｂが下側部材１８と共に、またステー部材２１の下側の折り曲げ片２１ｂがそれぞれボルト３３により下側部材１８と一体状に基礎コンクリート３０に固定され、前側部材１９及びステー部材２１は下側部材１８と一体となる。
【００３３】
ついでこの組み立て金具１ａの後側部材２０に、擁壁用パネル２と略同一の構成及び大きさにした補強パネル３４を、後側部材２０に設けたボルト孔２５ａ，２５ｂを貫通するボルト３５を補強パネル３４に締め込むことにより固定する。そしてその後、前後の両パネル２，３４間の空間にコンクリート打設して、基礎用となる擁壁用パネル２を組み立て金具１ａごとコンクリートにて基礎ブロック３０に固定する。
【００３４】
上記のようにして基礎コンクリート３０上に固定した基礎となる擁壁用パネル２上に、標準用の組み立て金具１を固定した１段目の擁壁用パネル２を千鳥状、あるいは直積み状に積み重ねる。このとき、各擁壁用パネル２の背面に固定した標準用の組み立て金具１を基礎用の組み立て金具１ａ上に積み重ねる。このとき、上側の標準用の組み立て金具１の下側部材７の前側のボルト孔１２ｂと、下側の基礎用の組み立て金具１ａの上側部材１７の前側のボルト孔２３ａとが一致するから、この両孔にボルト３６を貫通させナット４７にて締結する。
【００３５】
ついで標準用の組み立て金具１の後端、つまり後側部材９の後面と基礎用の組み立て金具１０の中間部上面に係止部材２６を沿わせる。この状態で係止部材の各片２６ａ，２６ｂのボルト孔２７ａ，２７ｂの一方は、基礎用の組み立て金具１ａの上側部材１７の中間部のボルト孔２４ａに、他方は標準用の組み立て金具１の後側部材９の下側のボルト孔１３ａに一致し、各ボルト孔にボルト３８，３９を貫通してナット４０，４１にて締結することにより、標準用の組み立て金具１の後端部は基礎用の組み立て金具１ａに固定される。
【００３６】
次に上記下から２段目の標準用の擁壁パネル２の上側に順次標準用の擁壁用パネル２を積み重ねる。このとき、標準用の組み立て金具１の上側に他の標準用の組み立て金具１が、それぞれの上側部材６に下側部材７が当接した状態で積み重ねられる。
【００３７】
そしてこの状態で下側の組み立て金具１の上側部材６と上側の組み立て金具１の下側部材１７のそれぞれの前側のボルト孔１２ａ，１２ｂは一致し、また下側の組み立て金具１の後側部材９の上端に設けた突片９ａに設けたボルト孔１４ａは、上側の組み立て金具１の後側部材９の下側のボルト孔１３ａとが一致される。
【００３８】
この状態で、上側部材６と下側部材７のそれぞれの前側のボルト孔にボルト３６を貫通してナット３７で締結する。また突片９ａの背面に補強板１０を沿わせ、これの上側のボルト孔１５ａから突片９ａと後側部材１９のボルト孔１４ａ，１３ａにボルト４２を貫通し、ナット４３にて締結し、補強板１０の下側のボルト孔１５ｂから後側部材９のボルト孔１４にボルト４４を貫通し、ナット４５にて締結する。
【００３９】
以下、同様にして標準用の擁壁用パネル２を順次積み重ねて所定の高さの擁壁とする。そしてこれの背面の空間内に盛土、例えば気泡ミルク等の気泡混合軽量盛土を充填して完成させる。
【００４０】
上記構成において、標準用の組み立て金具１及び基礎用の組み立て金具１ａの各擁壁用パネル２への取付けは、上記したように各組み立て金具１，１ａの前側部材８，１９を擁壁用パネル２の背面２ａ側に設けられたナット部材３の取り付け座３ａに当接した状態でボルト４にて固着されるが、このときに上記取り付け座３ａが擁壁用パネル２の背面２ａより、例えば３ｍｍ突出されていることにより、この各組み立て金具１，１ａは、仮に擁壁用パネル２の背面に凹凸があって、この背面が不陸であっても、上記凹凸がナット部材３の突出高さを超えない限り、この不陸に関係なく各パネルを固着することができ、この組み立て金具１，１ａにて組み立てられる各擁壁用パネル２は、これの背面２ａの不陸とは無関係に上下方向及び横方向に直線状を維持して積み重ねられる。
【００４１】
なお、上記ナット部材３の突出高さｔは２ｍｍより低いと擁壁用パネル２の背面の不陸の度合いによっては、この不陸部が組み立て金具１の他の部分に当接して、ナット部材３の端面に正確に当接できなくなる恐れがあり、５ｍｍを超えるとナット部材３の強度に悪い影響を与える恐れがあり、このナット部材３の突出高さｔは２〜５ｍｍが適当である。
【符号の説明】
【００４２】
１，１ａ…組み立て金具、２…擁壁用パネル、３…ナット部材、３ａ…取り付け座、３ｂ，３ｃ…フランジ、４…ボルト、５，１６…側板、１６，１７…上側部材、７，１８…下側部材、８，１９…前側部材、９，２０…後側部材、７ａ，８ａ，８ｂ、１８ａ，１９ａ，１９ｂ，２０ａ，２１ａ，２１ｂ…折り曲げ片、９ａ…突片、１０…補強板、１１ａ，１１ｂ、１２ａ，１２ｂ、１３ａ，１４ａ，１４ｂ、１９ａ，１９ｂ、２３ａ，２３ｂ，２４ａ，２４ｂ，２６ａ，２６ｂ…ボルト孔、２１…ステー部材、２６…係止部材。
【図１】
2010174509.tif 000003
【図２】
2010174509.tif 000004
【図３】
2010174509.tif 000005
【図４】
2010174509.tif 000006
【図５】
2010174509.tif 000007